(57)【要約】【課題】プリントに添付する二次元コードに、どのコンテンツにアクセスする情報が埋め込まれているかをユーザがプリント注文時に容易に確認できるプリント注文受付サーバを提供する。【解決手段】写真プリント注文受付サーバ２は、パソコン１の表示装置１２の表示画面でコードリーダ６１がアクセス情報を読み取れるようなサイズに拡大したＱＲコードの画像をパソコン１に送信する。表示装置１２の表示画面に表示されたＱＲコードの画像は、携帯電話機６のコードリーダ６１からアクセス情報を読み取ることができるサイズである。携帯電話機６がＱＲコードの画像に埋め込まれたアクセス情報を読み取り、そのアクセス情報で特定されるコンテンツＤＢ３１の音声再生アプリの送信を要求すると、制御部２０は要求された音声再生アプリをコンテンツＤＢ３１から取得して携帯電話機６に送信する。【選択図】  図１
2006020204.tif 000002
【特許請求の範囲】
【請求項１】
コンテンツにアクセスするためのアクセス情報が埋め込まれた二次元コードをプリント用画像に添付したプリントの注文を受け付けるプリント注文受付サーバであって、
ネットワークを介してアクセスしたパソコンからプリント用画像の指定と前記コンテンツの指定を受け付ける注文受付部と、
前記パソコンから指定されたコンテンツにアクセスするためのアクセス情報を埋め込んだ二次元コードを発行する発行部と、
前記パソコンの表示画面で表示される二次元コードから二次元コード読取装置が前記アクセス情報を読み取り可能な表示サイズで前記二次元コードを送信する送信部と、
を備えるプリント注文受付サーバ。
【請求項２】
前記注文受付部は前記プリントのプレビュー画像に含まれる二次元コード部分の指定を受け付け、
前記送信部は前記二次元コード部分の指定に応じて前記二次元コードを送信する請求項１に記載のプリント注文受付サーバ。
【請求項３】
前記注文受付部は前記パソコンからアップロードする音声ファイルを指定させることで前記コンテンツの指定を受け付ける請求項１又は２に記載のプリント注文受付サーバ。
【請求項４】
前記注文受付部は前記コンテンツとして所定の録音装置に録音された電話音声の指定を受け付ける請求項１又は２に記載のプリント注文受付サーバ。
【請求項５】
前記プリント用画像に合成するテンプレート画像とコンテンツとを対応づけて記憶する記憶部をさらに備え、
前記注文受付部は前記テンプレート画像の選択を受け付け、
前記送信部は前記選択されたテンプレート画像に対応するコンテンツにアクセスするためのアクセス情報を埋め込んだ二次元コードを前記パソコンに送信する請求項１又は２に記載のプリント注文受付サーバ。
【発明の詳細な説明】
【技術分野】
【０００１】
本発明はプリント注文受付サーバに係り、特に音声や画像などのコンテンツにアクセスするためのアクセス情報が埋め込まれた二次元コードを画像に添付してプリントする注文を受け付けるプリント注文受付サーバに関する。
【背景技術】
【０００２】
従来、バーコードを読み取って画像や文字などのコンテンツを配信する情報システムが考案されている。例えば特許文献１の情報提供システムは、バーコードが印刷されたカード、葉書、ポスター、雑誌などの表示媒体と、バーコードを読み取るバーコードリーダと、読み取られた情報を送信し、返送された情報を表示・出力する端末装置と、端末装置と通信ネットワークを介して接続しバーコードに対応する情報を保存・蓄積する配信情報データベースと、カードなどの表示媒体の作成を申し込む手段と、返送する情報をデータベースに登録・保存する手段と、バーコードに対応する情報を端末装置に送信する手段と、ユニークなバーコードの生成手段とを備えている。
【特許文献１】特開２００２−３１２２６９号公報
【発明の開示】
【発明が解決しようとする課題】
【０００３】
ところが、上述のシステムにおいては、どのバーコードでどのコンテンツにアクセスできるかを表示媒体の発行前に確認する手段は全く開示されておらず、誤ったバーコードの印刷された表示媒体を作成することでコンテンツの配信ミスやコンテンツの不正入手といった問題が生じうる。本発明はこのような問題点に鑑みてなされたもので、プリントに添付する二次元コードに、どのコンテンツにアクセスする情報が埋め込まれているかをユーザがプリント注文時に容易に確認できるプリント注文受付サーバを提供することを目的とする。
【課題を解決するための手段】
【０００４】
上述の課題を解決するため、請求項１に係る発明は、コンテンツにアクセスするためのアクセス情報が埋め込まれた二次元コードをプリント用画像に添付したプリントの注文を受け付けるプリント注文受付サーバであって、ネットワークを介してアクセスしたパソコンからプリント用画像の指定と前記コンテンツの指定を受け付ける注文受付部と、前記パソコンから指定されたコンテンツにアクセスするためのアクセス情報を埋め込んだ二次元コードを発行する発行部と、前記パソコンの表示画面で表示される二次元コードから二次元コード読取装置が前記アクセス情報を読み取り可能な表示サイズで前記二次元コードを送信する送信部と、を備えるプリント注文受付サーバを提供する。
【０００５】
この発明によると、パソコンの表示画面で表示される二次元コードから二次元コード読取装置でアクセス情報を読み取ることができるため、ユーザが注文したプリントに指定したコンテンツへのアクセス情報が埋め込まれた二次元コードが添付されているか否かをプリント注文時に容易に確認することができる。二次元コードとは、ＰＤＦ４１７などのスタック型二次元コードや、データコード・マキシコード・ＱＲコードなどのマトリックス型二次元コードなどである。
【０００６】
請求項２に係る発明は、前記注文受付部は前記プリントのプレビュー画像に含まれる二次元コード部分の指定を受け付け、前記送信部は前記二次元コード部分の指定に応じて前記二次元コードを送信する請求項１に記載のプリント注文受付サーバを提供する。
【０００７】
この発明によると、プリントのプレビュー画像に含まれる二次元コード部分を指定すると二次元コードを送信するため、プリント注文を行ったユーザは必要に応じて二次元コード部分を指定し、二次元コードに指定のコンテンツへのアクセス情報が埋め込まれているか否かをパソコンの表示画面から読み取って確認できる。
【０００８】
請求項３に係る発明は、前記注文受付部は前記パソコンからアップロードする音声ファイルを指定させることで前記コンテンツの指定を受け付ける請求項１又は２に記載のプリント注文受付サーバを提供する。
【０００９】
請求項４に係る発明は、前記注文受付部は前記コンテンツとして所定の録音装置に録音された電話音声の指定を受け付ける請求項１又は２に記載のプリント注文受付サーバを提供する。
【００１０】
請求項５に係る発明は、前記プリント用画像に合成するテンプレート画像とコンテンツとを対応づけて記憶する記憶部をさらに備え、前記注文受付部は前記テンプレート画像の選択を受け付け、前記送信部は前記選択されたテンプレート画像に対応するコンテンツにアクセスするためのアクセス情報を埋め込んだ二次元コードを前記パソコンに送信する請求項１又は２に記載のプリント注文受付サーバを提供する。
【００１１】
添付された二次元コードに埋め込まれたアクセス情報でアクセスできるコンテンツとして、パソコンからアップロードした音声ファイル、録音音声から変換した音声ファイル、あるいはテンプレート画像に対応する静止画・動画・音声などの各種コンテンツが挙げられる。
【発明の効果】
【００１２】
この発明によると、パソコンの表示画面で表示される二次元コードから二次元コード読取装置でアクセス情報を読み取ることができるため、注文したプリントに指定したコンテンツへのアクセス情報が埋め込まれた二次元コードが添付されているか否かをプリント注文時に容易に確認することができる。
【発明を実施するための最良の形態】
【００１３】
以下、添付した図面を参照し本発明の好ましい実施の形態を説明する。
【００１４】
［概略構成］
図１は、本発明の好ましい実施形態に係る写真プリント注文受付サーバ２を利用した写真プリント注文受付システムの概略機能構成図である。このシステムは、写真プリント注文受付サーバ２（以下単に注文受付サーバという）とパソコン１とがネットワーク３を介して接続されてなる。図１では、パソコン１は１つしか図示していないが、複数のパソコン１を注文受付サーバ２に接続する態様も可能である。即ち、注文受付サーバ２には認証部２８が備えられており、パソコン１から入力された一意的な識別情報（説明の簡略のためユーザＩＤ及びパスワードとするが、指紋情報などであってもよい）で各パソコン１の注文受付サーバ２への接続を認証する。このため、複数のパソコン１が接続された場合も、その各々を識別することが可能である。パソコン１はＷｅｂブラウザ１１を備えており、キーボードやマウスなどで構成される操作部１３から入力されたＵＲＬ（Unique Resource Locator）で特定されるＷｅｂページの送信をＷｅｂサーバ２１に要求し、表示装置１２の表示画面に受信したＷｅｂページを表示する。
【００１５】
注文受付サーバ２は、音声や画像などのコンテンツにアクセスするためのアクセス情報が埋め込まれた二次元コードをコード発行部２９で発行し、パソコン１からアップロードされた写真プリント用画像に二次元コードを添付して共にプリントする写真プリントの注文を受け付けるサーバである。注文受付サーバ２は、制御部２０とＷｅｂサーバ２１と管理データベース（ＭＤＢ）２２とコンテンツデータベース３１とを備えている。ＭＤＢ２２は、パソコン１から送信される注文情報を記憶する。コンテンツＤＢ３１はアクセス情報でアクセスできるコンテンツを記憶する。本明細書では特に詳説しないが、ＭＤＢ２２に記憶された注文情報を用いれば、写真プリント用画像にコンテンツへのアクセス情報が埋め込まれた二次元コードを添付した写真プリントを作成することができる。
【００１６】
注文受付サーバ２は、音声再生アプリ作成部２３と、音声ファイル変換部２４と、録音部２５と、通信部２６と、再生部２７とをさらに備えている。通信部２６は、移動体電話通信網の基地局５と接続し、注文受付サーバ２と携帯電話機６との間で通話音声や各種データの通信を行う。通信部２６には所定の電話番号が付与されている。録音部２５は、携帯電話機６その他の各種電話機からこの所定の電話番号に着信した音声を録音する。音声ファイル変換部２４は、録音部２５の録音した音声をパソコン１で再生可能なフォーマットの音声ファイル（wavファイルなど）に変換する。変換された音声ファイルはコンテンツＤＢ３１に出力されて記憶される。
【００１７】
音声再生アプリ作成部２３は、録音部２５に録音された音声、もしくはコンテンツＤＢ３１の音声ファイルが再生する音声と同等の音声を再生する携帯電話機６のアプリケーションを作成する。以下、このアプリケーションを音声再生アプリという。同等の音声とは、携帯電話機６の音声再生機能の制約上、完全に同一の音声でなくてもよいことを意味する。説明の簡略のため、音声再生アプリ作成部２３は、コンテンツＤＢ３１に記憶された音声ファイルから音声再生アプリを作成するものとする。ただし、音声ファイル変換部２４と音声再生アプリ作成部２３を一体構成するなどして、録音部２５に録音された音声から直接音声再生アプリを作成する態様も可能である。再生部２７は、コンテンツＤＢ３１の音声ファイルから通話音声を再生し、通信部２６を介して所定の電話番号に着信してきた携帯電話機６その他の各種電話機にその通話音声を送信する。
【００１８】
制御部２０はＣＰＵで構成され、Ｗｅｂサーバ２１、ＭＤＢ２２、音声再生アプリ作成部２３、音声ファイル変換部２４、録音部２５、通信部２６、再生部２７、コード発行部２９、コンテンツＤＢ３１とバス３０を介して接続されており、各部の動作制御を行う。なお、制御部２０は、通信部２６の所定の電話番号に着信した各種電話機から入力されるプッシュトーン信号で録音／再生の指示を受け付け、録音が指示された場合は電話機から送信された音声を録音し、再生が指示された場合は音声ファイルから再生された通話音声を送信するようにしてもよい。
【００１９】
図２は管理データベース（ＭＤＢ）２２に記憶される注文情報の概念説明図である。注文情報は、ユーザＩＤと画像とテンプレート画像とＱＲコードとが対応した情報である。ユーザＩＤは認証部２８がパソコン１から取得する。画像はパソコン１から注文受付サーバ２にアップロードされた写真プリント用の画像である。テンプレート画像は予めコンテンツＤＢ３１に記憶されており、アップロードされた画像に合成するテンプレートとなる。ＱＲコードには、コンテンツＤＢ３１に記憶された各種コンテンツにアクセスするためのアクセス情報、特にコンテンツＤＢ３１に記憶された音声再生アプリの格納位置（ダウンロードサイトのURLなどで表現される）が埋め込まれている。ＱＲコードは写真プリント用画像に添付されてプリントされるため、画像ファイルとしてＭＤＢ２２に記憶される。
【００２０】
図３に示すように、コンテンツＤＢ３１には、テンプレート画像とテンプレート音声ファイルとが対応づけられたテンプレート情報が記憶されている。コンテンツＤＢ３１に記憶されたテンプレート画像は、パソコン１の操作部１３の操作でいずれか１つを任意に選択できる。テンプレート画像とテンプレート音声ファイルとの対応は特に限定する必要はないが、認証部２８で認証を受けたプリント注文者とは別のコンテンツ提供者が、所定の料金を注文受付サーバ２の管理者に支払い、独自に作成したテンプレート画像とそのテンプレート画像の内容に相応しい音声を再生する音声ファイルを対応づけてコンテンツＤＢ３１に記憶してもらうようにしてもよい。
【００２１】
携帯電話機６は、注文受付サーバ２に認証されたパソコン１を使用するユーザと同じユーザが使用する。携帯電話機６は、ＱＲコードなどの二次元コードに埋め込まれている情報を読み取るコードリーダ６１を備えている。本明細書では簡略のため、二次元コードとＱＲコードを同視して説明するが、ＱＲコードの代わりに、ＰＤＦ４１７・データコード・マキシコードなどの各種二次元コードを用いてもよい。携帯電話機６がバーコードを読み取る手段を備えていれば二次元コードの代わりにバーコードを用いてもよい。
【００２２】
［処理の流れ］
以下、図４のフローチャートに基づき、注文受付サーバ２の実行する注文処理の流れを説明する。
【００２３】
Ｓ１では、アクセスしたパソコン１から送信されたユーザＩＤとパスワードでパソコン１を認証する。以下、パソコン１は認証を受けたユーザＩＤで識別される。
【００２４】
Ｓ２では、コンテンツＤＢ３１に記憶されたテンプレート画像を一覧表示するＷｅｂページをパソコン１に送信し、一覧表示されたテンプレート画像からいずれか１つを選択させる。図５はテンプレート画像を一覧表示するＷｅｂページの一例である。この図では一例として、テンプレート画像Ｔ１〜Ｔ３が表示されている。パソコン１では、テンプレート画像Ｔ１〜Ｔ３のクリックなど、操作部１３の操作でテンプレート画像の選択を受け付け、選択されたテンプレート画像の識別子を注文受付サーバ２に通知する。以下の説明では一例としてテンプレート画像Ｔ１が選択されたものとする。
【００２５】
Ｓ３では、パソコン１から写真プリント用画像のアップロードを受け付ける。図６に示すように、写真プリント用画像のアップロードは、Ｗｅｂサーバ２１からパソコン１に送信したＷｅｂページから受け付けることができる。即ち、このページで「参照」ボタン５２を押下することで、パソコン１に保存されている画像を選択することができ、この選択をもってアップロードすべき画像を指定する。指定が完了するとパソコン１は指定された画像を注文受付サーバ２に送信する。なお、このページには、Ｓ２で選択されたテンプレート画像を確認できるように拡大表示させている。パソコン１からアップロードされた画像はＳ１で認証されたユーザＩＤと対応づけられてＭＤＢ２２に記憶される。
【００２６】
Ｓ４では、写真プリント用画像に添付する音声を、Ｓ２で選択されたテンプレート画像に対応するテンプレート音声ファイルから変更するか否かの指定を受け付ける。変更する指定がされた場合はＳ５に移行する。変更する指定がされなかった場合、Ｓ２で選択されたテンプレート画像に対応するテンプレート音声ファイルに、Ｓ１で認証されたユーザＩＤを対応させてコンテンツＤＢ３１に記憶し、Ｓ８に移行する。変更する指定は、例えば図６に示すＷｅｂページで、「変更」ボタン５１が押下されたか否かで受け付けることができる。
【００２７】
Ｓ５では、写真プリント用画像に添付する音声を、パソコン１からアップロードする音声ファイルとするか否かの指定を受け付ける。パソコン１から音声ファイルが指定された場合、指定された音声ファイルのアップロードをパソコン１から受け付け、アップロードされた音声ファイルをユーザＩＤと対応づけてコンテンツＤＢ３１に記憶し、Ｓ８に移行する。パソコン１から音声ファイルが指定されなかった場合、Ｓ６に移行する。この指定は、図７に示すようなＷｅｂページから受け付けることができる。即ち、「参照」ボタン７１が押下されると、パソコン１に保存されている音声ファイルを選択することができ、この選択をもってアップロードすべき音声ファイルを指定する。指定が完了すると、パソコン１は指定された音声ファイルを注文受付サーバ２に送信する。
【００２８】
Ｓ６では、写真プリント用画像に添付する音声を、録音部２５に録音した音声とするか否かの指定を受け付ける。この指定がされた場合はＳ７に移行し、指定されなかった場合はＳ５に戻る。この指定は、図７のＷｅｂページから受け付けることができる。即ち、「完了」ボタン７２が押下されたか否かで受け付けることができる。なお、図７のＷｅｂページには、通信部２６に付与された所定の電話番号７３が表示されており、この電話番号７３に接続した電話の通話音声が録音部２５により録音される。録音部２５は、録音された音声とＳ１で認証したユーザＩＤとを対応づけて記憶しており、どの録音音声がどのユーザＩＤと対応しているかを管理している。
【００２９】
Ｓ７では、録音が完了した旨の指示に応じ、録音部２５に録音された通話音声を音声ファイル変換部２４で音声ファイルに変換し、音声ファイル変換部２４の出力した音声ファイルをユーザＩＤと対応づけてコンテンツＤＢ３１に記憶する。録音が完了した旨の指示は、図７のＷｅｂページで「完了」ボタン５７を押下する動作であってよい。
【００３０】
Ｓ８では、音声再生アプリ作成部２３は、Ｓ１で認証されたユーザＩＤに対応する音声ファイルをコンテンツＤＢ３１から取得し、この音声ファイルから音声再生アプリを作成する。音声再生アプリはユーザＩＤに対応づけられてコンテンツＤＢ３１に記憶される。
【００３１】
Ｓ９では、コード発行部２９はＳ８で作成した音声再生アプリへのアクセス情報を埋め込んだＱＲコードを発行し、このＱＲコードをＳ１で認証したユーザＩＤと対応づけてＭＤＢ２２に記憶する。
【００３２】
Ｓ１０では、Ｓ３でアップロードされたプリント用画像とＳ２で選択されたテンプレート画像とを合成した合成画像にＱＲコードを添付した写真プリントをプレビュー表示させるＷｅｂページをパソコン１に送信する。図８はプレビュー表示の一例である。この図のＷｅｂページには、Ｓ２で選択されたテンプレート画像とＳ３でアップロードされたプリント用画像とを合成した合成画像５６に、Ｓ９で発行したＱＲコードの縮小画像５５が添付された写真プリントのプレビュー画像５７が表示される。なお、この画面では、「聞く」ボタン５４を押下することで、Ｓ９で発行したＱＲコードに対応する音声ファイルをパソコン１にダウンロードあるいはストリーミング再生することができる。このため、写真プリントに添付する音声をパソコン１でも確認できる。
【００３３】
Ｓ１１では、パソコン１の表示装置１２の表示画面でコードリーダ６１がアクセス情報を読み取れるようなサイズで発行したＱＲコードを送信するよう要求されたか否かを判断する。要求された場合はＳ１２に移行し、要求されない場合はＳ１３に移行する。この要求は、プレビュー画像５７のＱＲコードの縮小画像５５をクリックなどで指定することでパソコン１から注文受付サーバ２に送信することができる。
【００３４】
Ｓ１２では、パソコン１の表示装置１２の表示画面でコードリーダ６１がアクセス情報を読み取れるようなサイズに拡大したＱＲコードの画像をパソコン１に送信する。図９に示すように、表示装置１２の表示画面に表示されたＱＲコードの画像５５’は、携帯電話機６のコードリーダ６１からアクセス情報を読み取ることができるサイズである。
【００３５】
Ｓ１３では、携帯電話機６が画像５５’に埋め込まれたアクセス情報を読み取り、そのアクセス情報で特定されるコンテンツＤＢ３１の音声再生アプリの送信を要求してきたか否かを判断する。送信が要求された場合はＳ１４に移行し、制御部２０は要求された音声再生アプリをコンテンツＤＢ３１から取得して携帯電話機６に送信する。送信が要求されない場合は写真プリントの注文代金の決済処理などを適宜行って本処理を終了する。
【００３６】
なお、Ｓ３では、動画やテキストなど、音声以外の各種デジタルコンテンツのアップロードを受け付け、このデジタルコンテンツとユーザＩＤと対応させてコンテンツＤＢ３１に記憶し、Ｓ９では、このデジタルコンテンツにアクセスするためのアクセス情報を埋め込んだＱＲコードを発行し、Ｓ１４では、携帯電話機６が画像５５’に埋め込まれたアクセス情報を読み取り、そのアクセス情報で特定されるコンテンツＤＢ３１のデジタルコンテンツを携帯電話機６に送信してもよい。
【００３７】
以上説明したとおり、パソコン１からテンプレート画像を選択するか（Ｓ２）、音声ファイルをアップロードするか（Ｓ５で“Ｙ”）、あるいは音声を録音して（Ｓ６で“Ｙ”）音声ファイルに変換させれば（Ｓ７）、その音声ファイルと同等の音声を再生させる音声再生アプリにアクセスする情報が埋め込まれたＱＲコードがパソコン１に送信される。パソコン１の表示装置１２に表示されたＱＲコードの画像５５’は携帯電話機６のコードリーダ６１からアクセス情報を読み取ることができるサイズである。ユーザはパソコン１の表示装置１２から携帯電話機６でアクセス情報を読み取らせて音声再生アプリを受信し、携帯電話機６で音声を再生し、所望の音声へのアクセス情報が埋め込まれたＱＲコードが写真プリントに添付されているか否かをプリント注文時に確認することができる。
【図面の簡単な説明】
【００３８】
【図１】本発明の好ましい実施形態に係る写真プリント注文受付サーバを利用した写真プリント注文受付システムの概略機能構成図
【図２】注文情報の概念説明図
【図３】テンプレート情報の概念説明図
【図４】注文処理の流れを示すフローチャート
【図５】テンプレート画像を一覧表示するＷｅｂページの一例を示す図
【図６】写真プリント用画像のアップロードを受け付けるＷｅｂページの一例を示す図
【図７】アップロードすべき音声ファイルを指定あるいは録音音声の音声ファイルへの変換を指定するＷｅｂページの一例を示す図
【図８】写真プリントをプレビュー表示させるＷｅｂページの一例を示す図
【図９】コード読取部からアクセス情報を読み取ることができるサイズで表示装置に表示されたＱＲコードの一例を示す図
【符号の説明】
【００３９】
１：パソコン、２：写真プリント注文受付サーバ
【図１】
2006020204.tif 000003
【図２】
2006020204.tif 000004
【図３】
2006020204.tif 000005
【図４】
2006020204.tif 000006
【図５】
2006020204.tif 000007
【図６】
2006020204.tif 000008
【図７】
2006020204.tif 000009
【図８】
2006020204.tif 000010
【図９】
2006020204.tif 000011